(57)【要約】【課題】充電器を持ち歩いたり、電池を購入することなく、外出先でも携帯型通信機器単体で、緊急充電を可能とすること。【解決手段】携帯電話の伸縮式アンテナ１の収納部２にコイル４を設け、また、アンテナ１のコイル４の近傍に磁石３を設ける。携帯電話のバッテリー６を緊急充電する際には、アンテナ１の伸縮させて磁石３をコイル４内で動かし、上記コイル４に起電力を発生させ、整流回路５を介して、バッテリー６を充電する。また、上記磁石とコイルに代えて、圧電素子を用い、アンテナ１を伸縮させて圧電素子を押圧し圧電素子に生ずる起電力によりバッテリー６を充電したり、アンテナ１をＬ字型に変形可能に構成するともに、アンテナ１の軸に発電機の回転軸を連結し、アンテナ１を軸を中心に回転させ、発電機に生ずる起電力によりバッテリー６を充電するように構成してもよい。【選択図】　　　　　図１
2004088385.tif 000002
【特許請求の範囲】
【請求項１】
アンテナを備えた携帯型通信機器における緊急充電装置であって、
上記アンテナの収納部分にコイルが設けられ、また、上記アンテナの上記コイルの近傍には磁石が設けられており、
上記アンテナの伸縮運動により上記磁石を動かし、磁石の移動により生ずる磁界の変動により上記コイルに起電力を発生させ、携帯型通信機器のバッテリーを充電する
ことを特徴とする携帯型通信機器における緊急充電装置。
【請求項２】
アンテナを備えた携帯型通信機器における緊急充電装置であって、
上記アンテナの収納部分に圧電素子が設けられ、
上記アンテナの伸縮運動時に、アンテナにより上記圧電素子を押圧して、上記圧電素子に起電力を発生させ、携帯型通信機器のバッテリーを充電する
ことを特徴とする携帯型通信機器における緊急充電装置。
【請求項３】
アンテナを備えた携帯型通信機器における緊急充電装置であって、
上記アンテナの収納部分に発電機が設けられ、該発電機の回転軸と上記アンテナの軸は連結されており、
上記アンテナを該軸を中心として回転させることにより、上記発電機を回転させて起電力を発生させ、携帯型通信機器のバッテリーを充電する
ことを特徴とする携帯型通信機器における緊急充電装置。
【発明の詳細な説明】
【０００１】
【発明の属する技術分野】
本発明は、本発明は携帯電話、モバイル等の携帯型通信機器において、アンテナを利用した緊急充電装置に関する。
携帯電話等の携帯型通信機器の発達により、より利便性が増したが同時に電池の消耗も大きくなった。このため、外出時に電池が切れる場合が多くなった。本発明の緊急充電装置により、外出時でも簡単に携帯電話等の携帯型通信機器の緊急充電が可能となる。
【０００２】
【従来の技術】
従来、外出先で携帯電話等の携帯型通信機器の充電を行う場合には専用充電器を持ち歩き、電源を借りて充電するか、店頭で売られている充電用電池などを利用する必要があった。
前者の場合は専用充電器を持ち歩かなければならず不便であり、電源を利用できるところでしか充電をすることができない。また、後者の場合は、電池を購入できる店舗を探さねばならず、また、ほとんどの充電用電池が使い捨てであるので利用者の負担が大きくなってしまう。
【０００３】
【発明が解決しようとする課題】
上記のように、従来においては外出先で携帯電話等の携帯型通信機器が電池切れとなると、充電器により充電をするか、電池を購入しなければ通信を行うことができなかった。
本発明は、上記事情に鑑みなされたものであって、本発明の目的は、充電器を持ち歩いたり、電池を購入することなく、外出先でも携帯型通信機器単体で、緊急充電を可能とすることである。
【０００４】
【課題を解決するための手段】
上記課題を本発明においては、次のようにして解決する。
（１）アンテナの収納部分にコイルを設け、また、アンテナの上記コイルの近傍には磁石を設け、アンテナの伸縮運動により該磁石を動かし、磁石の移動により生ずる磁界の変動により上記コイルに起電力を発生させ、携帯型通信機器のバッテリーを充電する。
（２）アンテナの収納部分に圧電素子を設け、アンテナの伸縮運動時に、アンテナにより上記圧電素子を押圧して、上記圧電素子に起電力を発生させ、携帯型通信機器のバッテリーを充電する。
（３）アンテナの収納部分に発電機を設け、該発電機の回転軸と上記アンテナの軸を連結し、アンテナを該軸を中心として回転させることにより、上記発電機を回転させて起電力を発生させ、携帯型通信機器のバッテリーを充電する。
本発明においては、上記のように、携帯型通信機器に設けられたアンテナを伸縮させたり軸を中心として回転させ、磁石とコイル、圧電素子、あるいは発電機により起電力を発生させてバッテリーを充電するようにしたので、専用の充電器を持ち歩くことなく、外出先でバッテリーを緊急充電することができる。
【０００５】
【発明の実施の形態】
以下、本発明を携帯電話に適用した場合の実施例について説明するが、本発明は携帯電話以外に、モバイル等の携帯型通信機器に適用することができる。
携帯電話には、図８に示すように、通常伸縮式のアンテナ１が設けられ、アンテナ１を使用しないときには、アンテナ１を収納部２に収納するように構成されている。以下に示す実施例では、収納部２に以下に説明するように磁石とコイル、圧電素子、発電機を設け、上記伸縮式アンテナを利用してバッテリーを充電する。
図１は本発明の第１の実施例を示す図である。本実施例は、図１（ａ）に示すように、携帯電話の伸縮式アンテナ１の収納部２にコイル４を設け、また、アンテナ１のコイル４の近傍に磁石３を設ける。コイル４は整流回路５を介して、携帯電話に内蔵されたバッテリー６に接続されている。
【０００６】
図１（ｂ）は上記収納部２の詳細構成を示す図である。同図に示すように、アンテナ収納部２の外周には、コイル４が設けられており、コイル４は整流回路５を介してバッテリーに接続されている。また、アンテナ１には、磁石３が設けられ、アンテナ１を伸縮させることにより、上記磁石３はコイル４内で移動するように構成されている。
そして、携帯電話のバッテリー６を緊急充電する際には、アンテナ１を伸縮させて磁石３をコイル４内で動かし、磁石の移動による磁界の変動により上記コイル４に起電力を発生させる。
【０００７】
コイル４に発生する交流電流は、整流回路５によりを整流され、バッテリー６に供給されてバッテリー６を充電する。
すなわち、図２（ａ）に示すように、伸縮アンテナ１を伸ばすと、磁石３が上方に移動し、コイル４内部の磁界が変化し、ファラデーの法則に従いコイルに起電力が発生する。
これにより、コイル４に順方向に電流が流れ、コイル４の両端から整流回路５を介してバッテリー６に電流が流れバッテリーが充電される。
同様に、図２（ｂ）に示すように、伸縮アンテナ１を縮めると、磁石４が下方に移動し、コイル４に起電力が発生し、コイル４に逆方向に電流が流れ、コイル４の両端から整流回路５を介してバッテリー６に電流が流れ、バッテリー６が充電される。
なお、上記動作による発電電力を大きくするため、例えば、図３に示すように複数のコイル４を並列接続してもよい。これにより、緊急時の通話に必要な電力を発電することが可能となる。また、コイル４の巻数を多くして、発電電力を大きくしてもよい。
【０００８】
図４は本発明の第２の実施例を示す図である。本実施例は、図４（ａ）に示すように、携帯電話の伸縮式アンテナ１の収納部２に圧電素子７を設け、圧電素子を、携帯電話に内蔵されたバッテリー６に接続する。
図４（ｂ）は収納部２の詳細構成を示す図である。同図に示すように、アンテナ収納部２に圧電素子７を設け、また、アンテナ１の端部に圧電素子７に接触する接触部８を設け、アンテナ１を伸縮させたとき、接触部８が圧電素子７を押圧するように構成する。
そして、携帯電話のバッテリー６を緊急充電する際には、アンテナ１の伸縮させて接触部８により圧電素子７を押圧し、圧電素子７に発生する起電力によりバッテリー６を充電する。
すなわち、図５に示すように、アンテナ１を伸縮させると、アンテナ１が縮むときに圧電素子７が押圧され電圧を発生する。これにより、圧電素子７からバッテリー６に電流が流れ、携帯電話に内蔵されたバッテリー６の充電が行われる。
【０００９】
図６は本発明の第３の実施例を示す図である。本実施例は、図６（ａ）（ｂ）に示すように携帯電話の伸縮式アンテナ１をＬ字型に変形できるように構成し、また収納部２にアンテナ１の軸に回転軸が連結された発電機９を設けて、発電機９の出力を整流回路５を介して携帯電話に内蔵されたバッテリー６に接続する。
アンテナ１には、例えば図７（ａ）に示すように可動部１ａが設られ、アンテナ１を伸ばしてアンテナ１を該可動部１ａで折り曲げて、Ｌ字型に変形できるように構成されている。なお、アンテナ１を伸ばしたとき、発電機９が動かないように例えば図７（ｂ）に示すようにアンテナ１を２重構造とし、外側のアンテナ１ｂは固定し、内側のアンテナ１ｃに可動部１ａを設けて、アンテナ１を伸ばした状態でＬ字型に変形できるように構成してもよい。
【００１０】
そして、携帯電話のバッテリー６を緊急充電する際には、アンテナ１を上記のようにＬ字型に折り曲げ、Ｌ字型に折り曲げた部分を指等で回転させ、アンテナ１の軸に連結された発電機９を回転させる。
発電機９の出力は、整流回路５を介して携帯電話に内蔵されたバッテリー６に接続されており、上記回転により発電機９からバッテリー６に電流が流れ、バッテリー６が充電される。
なお、発電機９として直流発電機を用いる場合には、整流回路５を用いずに、発電機９の出力を直接バッテリーに接続してもよい。また、アンテナ１が、軸を中心として容易に回転可能な構造である場合には、必ずしもアンテナをＬ字型に変形させる必要はない。
【００１１】
【発明の効果】
以上説明したように、本発明においては、アンテナ収納部にコイルと磁石、圧電素子、あるいは発電機等の発電素子を設けて、アンテナの伸縮あるいは回転により生ずる起電力により携帯電話に内蔵されたバッテリーを充電できるように構成したので、外出先での携帯電話のバッテリー充電がより簡易に行うことができ、携帯電話の利便性向上に寄与するところが大きい。
【図面の簡単な説明】
【図１】本発明の第１の実施例を示す図である。
【図２】本発明の第１の実施例における発電動作を説明する図である。
【図３】複数のコイルを並列接続する場合を示す図である。
【図４】本発明の第２の実施例を示す図である。
【図５】本発明の第２の実施例における発電動作を説明する図である。
【図６】本発明の第３の実施例を示す図である。
【図７】アンテナの構造例を示す図である。
【図８】一般に使用されている携帯電話の外観を示す図である。
【符号の説明】
１　　アンテナ
１ａ　可動部
２　　アンテナ収納部
３　　磁石
４　　コイル
５　　整流回路
６　　バッテリー
７　　圧電素子
８　　接触部
９　　発電機
【図１】
2004088385.tif 000003
【図２】
2004088385.tif 000004
【図３】
2004088385.tif 000005
【図４】
2004088385.tif 000006
【図５】
2004088385.tif 000007
【図６】
2004088385.tif 000008
【図７】
2004088385.tif 000009
【図８】
2004088385.tif 000010